(57)【要約】【課題】画像データの表示に伴う電力消費が少ない液晶駆動回路を提供する。【解決手段】液晶駆動回路１は、液晶表示装置１０００のデータ信号線Ｄ１〜Ｄｍおよび走査ラインＬ１〜Ｌｎにそれぞれ対応するビット線Ｂ１〜Ｂｍおよびワード線Ｗ１〜Ｗｎを有して液晶表示装置１０００に表示する画像データを格納するメモリ１１と、画像表示を指示された走査ラインに対する液晶表示装置１０００の液晶画素の配置位置に応じてメモリ１１から画像データを出力するビット線の選択およびワード線の選択を行う表示制御回路１２と、メモリ１１のビット線のそれぞれに接続されて表示制御回路１２により選択されたビット線のデータを液晶表示装置１０００のデータ信号線へ出力するビット線出力制御回路１３と、を備える。【選択図】図１
2008083573.tif 000002
【特許請求の範囲】
【請求項１】
液晶表示装置のデータ信号線および走査ラインにそれぞれ対応するビット線およびワード線を有し、前記液晶表示装置に表示する画像データを格納するメモリと、
画像表示を指示された走査ラインに対する前記液晶表示装置の液晶画素の配置位置に応じて、前記メモリから前記画像データを出力するビット線の選択およびワード線の選択を行う表示制御回路と、
前記ビット線のそれぞれに接続され、前記表示制御回路により選択されたビット線のデータを前記データ信号線へ出力するビット線出力制御回路と
を備えることを特徴とする液晶駆動回路。
【請求項２】
前記表示制御回路は、前記ビット線のうちの奇数番目のビット線を選択する第１のビット線選択信号および偶数番目のビット線を選択する第２のビット線選択信号を交互に発生させ、前記第１のビット線選択信号を前記奇数番目のビット線が接続される前記ビット線出力制御回路へ出力し、前記第２のビット線選択信号を前記偶数番目のビット線が接続される前記ビット線出力制御回路へ出力することを特徴とする請求項１に記載の液晶駆動回路。
【請求項３】
前記表示制御回路は、前記液晶表示装置の液晶画素の配置が千鳥方式であるときは、前記第１のビット線選択信号を発生させるときに選択するワード線のアドレスに対して、その第１のビット線選択信号に続く前記第２のビット線選択信号を発生させるときに選択するワード線のアドレスを、１つずらすことを特徴とする請求項２に記載の液晶駆動回路。
【請求項４】
前記表示制御回路は、前記液晶表示装置の液晶画素の配置が通常方式であるときは、前記第１のビット線選択信号を発生させるときに選択するワード線のアドレスに対して、その第１のビット線選択信号に続く前記第２のビット線選択信号を発生させるときに選択するワード線のアドレスを、同じにすることを特徴とする請求項２に記載の液晶駆動回路。
【請求項５】
前記表示制御回路は、前記液晶表示装置における走査ラインのスキャン方向の変化に応じて、前記メモリのワード線を選択するアドレスの増減方向を変えることを特徴とする請求項１に記載の液晶駆動回路。
【発明の詳細な説明】
【技術分野】
【０００１】
本発明は、液晶表示装置を駆動する液晶駆動回路に関する。
【背景技術】
【０００２】
高画質の画像表示を行なう液晶パネルとして千鳥方式の液晶パネルが知られている。千鳥方式の液晶パネルでは、複数の走査ラインと複数のデータ信号線の交点にマトリックス状に配列される液晶画素の電極が、各走査ラインに対して上下に交互に接続される。そのため、千鳥方式の液晶パネルの信号線を駆動する液晶駆動回路は、隣り合うデータ信号線へ、走査ラインが１ライン異なるデータを出力する必要がある。
【０００３】
そこで、従来、１ライン分の表示データを保持するフリップフロップと、このフリップフロップの奇数番目のデータをラッチして奇数番目のデータ信号線へ出力するフリップおよび偶数番目のデータをラッチして偶数番目のデータ信号線へ出力するフリップとから構成される表示データラッチ回路を備える液晶駆動回路が提案されている（例えば、特許文献１参照。）。
【０００４】
しかし、上述の液晶駆動回路では、表示データが１ライン分しか保持されないため、画像表示を行なう間、常に画像データを表示データラッチ回路へ送り続けなければならない。また、一旦表示したデータのスキャン方向を変えるなどの処理を行う場合、改めて画像データを送信しなければならない。そのため、画像データの表示に伴う消費電力が増加するという問題があった。
【特許文献１】特開２００５−７０２９４号公報  （第７−８ページ、図２）
【発明の開示】
【発明が解決しようとする課題】
【０００５】
そこで、本発明の目的は、画像データの表示に伴う電力消費が少ない液晶駆動回路を提供することにある。
【課題を解決するための手段】
【０００６】
本発明の一態様によれば、液晶表示装置のデータ信号線および走査ラインにそれぞれ対応するビット線およびワード線を有し、前記液晶表示装置に表示する画像データを格納するメモリと、画像表示を指示された走査ラインに対する前記液晶表示装置の液晶画素の配置位置に応じて、前記メモリから前記画像データを出力するビット線の選択およびワード線の選択を行う表示制御回路と、前記ビット線のそれぞれに接続され、前記表示制御回路により選択されたビット線のデータを前記データ信号線へ出力するビット線出力制御回路と、を備えることを特徴とする液晶駆動回路が提供される。
【発明の効果】
【０００７】
本発明によれば、液晶表示装置に表示する画像データを予めメモリに格納しておくので画像表示の際に画像データを送信する必要がなく、画像データの表示に伴う電力消費を少なくすることができる。
【発明を実施するための最良の形態】
【０００８】
以下、本発明の実施例を図面を参照して説明する。
【実施例１】
【０００９】
図１は、本発明の実施例１に係る液晶駆動回路の構成の例を示すブロック図である。本実施例の液晶駆動回路１は、ｍ本のデータ信号線（Ｄ１〜Ｄｍ）およびｎ本の走査ライン（Ｌ１〜Ｌｎ）を有する液晶表示装置１０００へ画像データを出力する回路である。
【００１０】
液晶駆動回路１は、液晶表示装置１０００のデータ信号線および走査ラインにそれぞれ対応するｍ本のビット線（Ｂ１〜Ｂｍ）およびｎ本のワード線（Ｗ１〜Ｗｎ）を有して液晶表示装置１０００に表示する画像データを格納するメモリ１１と、液晶表示装置１０００への表示指示に応じてメモリ１１から読み出す画像データのビット線の選択およびワード線の選択を行う表示制御回路１２と、メモリ１１のビット線Ｂ１〜Ｂｍのそれぞれに接続されたｍ個のセンス回路Ｓを有して表示制御回路１２により選択されたビット線のデータを液晶表示装置１０００のデータ信号線へ出力するビット線出力制御回路１３と、を備える。
【００１１】
表示制御回路１２は、ビット線選択信号生成部１２１と、ワード線選択部１２２と、を有する。
【００１２】
ビット線選択信号生成部１２１は、メモリ１１のビット線のうちの奇数番目のビット線を選択するビット線選択信号Ｓ１および偶数番目のビット線を選択するビット線選択信号Ｓ２を交互に発生させ、ビット線出力制御回路１３へ出力する。
【００１３】
ワード線選択部１２２は、液晶表示装置１０００において画像表示が指示された走査ラインに対応して、メモリ１１の画像データを読み出すワード線を選択する。
【００１４】
ビット線出力制御回路１３は、メモリ１１のビット線Ｂ１〜Ｂｍのそれぞれに接続されたｍ個のセンス回路Ｓを有する。このｍ個のセンス回路Ｓの内、メモリ１の奇数番目のビット線に接続されるセンス回路Ｓにはビット線選択信号Ｓ１が入力され、メモリ１の偶数番目のビット線に接続されるセンス回路Ｓにはビット線選択信号Ｓ２が入力される。
【００１５】
メモリ１の奇数番目のビット線に接続されたセンス回路Ｓは、ビット線選択信号Ｓ１がオンしたときに、そのビット線のデータを液晶表示装置１０００の奇数番目のデータ信号線へ出力する。
【００１６】
また、メモリ１の偶数番目のビット線に接続されるセンス回路Ｓは、ビット線選択信号Ｓ２がオンしたときに、そのビット線のデータを液晶表示装置１０００の偶数番目のデータ信号線へ出力する。
【００１７】
すなわち、ビット線選択信号Ｓ１がオンしたときに、メモリ１の奇数番目のビット線のデータは液晶表示装置１０００の奇数番目のデータ信号線へ出力され、ビット線選択信号Ｓ２がオンしたときに、メモリ１の偶数番目のビット線のデータは液晶表示装置１０００の偶数番目のデータ信号線へ出力される。
【００１８】
図２に、メモリ１に格納される画像データの構成を示す。
【００１９】
メモリ１の各ワードには、液晶表示装置１０００の走査ラインに対応した画像データが格納される。すなわち、メモリ１のワード線アドレスＷ１には、液晶表示装置１０００の走査ラインＬ１で駆動される１ライン分の画像データＧ１が格納され、メモリ１のワード線アドレスＷ２には、液晶表示装置１０００の走査ラインＬ１で駆動される１ライン分の画像データＧ２が格納される、という具合である。このようにして、液晶表示装置１０００の走査ラインに対応したワード線アドレスＷ１〜Ｗｎのそれぞれに、液晶表示装置１０００の走査ラインＬ１〜Ｌｎで表示される１ライン分の画像データＧ１〜Ｇｎが格納される。
【００２０】
ここで、本実施例の液晶駆動回路１が駆動する液晶表示装置１０００には、液晶画素の配置方式にはさまざまな方式がある。図３に、その１つである千鳥方式で液晶画素を配置する千鳥方式液晶表示装置１０００Ａの液晶画素の配置の例を示す模式図である。
【００２１】
千鳥方式液晶表示装置１０００Ａでは、液晶画素Ｌが、各走査ラインに対して下、上、下、上の順番で、各走査ラインの上下に交互に配置される。したがって、この場合、各ラインの表示データは、ある走査ラインで駆動される奇数番目のデータ信号線のデータと、その走査ラインのライン番号より１つ大きいライン番号の走査ラインで駆動される偶数番目のデータ信号線のデータと、で構成される。
【００２２】
そこで、この千鳥方式液晶表示装置１０００Ａに対して、液晶駆動回路１の表示制御回路１２は、ビット線選択信号Ｓ１がオンしたときに指定したワード線アドレスよりも、それに続くビット線選択信号Ｓ２がオンしたときのワード線アドレスが１つ大きくなるようにワード線アドレスを生成する。
【００２３】
図４に、千鳥方式液晶表示装置１０００Ａを駆動するときの液晶駆動回路１の動作を波形図で示す。ここでは、液晶表示装置１０００Ａの表示ラインの１ライン目から順次画像を表示する場合を例にとって示す。
【００２４】
液晶駆動回路１のビット線選択信号生成部１２１は、ビット線選択信号Ｓ１とビット線選択信号Ｓ２を交互に出力する。
【００２５】
これに対して、ワード線選択部１２２は、最初のビット線選択信号Ｓ１が出力されたときにワード線Ｗ１を選択し、次にビット線選択信号Ｓ２が出力されたときにワード線Ｗ２を選択する。
【００２６】
これにより、ビット線出力制御回路１３から千鳥方式液晶表示装置１０００Ａのデータ信号線に対して、奇数番目のデータ信号線へは画像データＧ１、偶数番目のデータ信号線へは画像データＧ２が出力される。すなわち、千鳥方式液晶表示装置１０００Ａの１ライン目に表示される画像データが出力される。
【００２７】
次にビット線選択信号Ｓ１が出力されると、ワード線選択部１２２はワード線Ｗ２を選択し、ビット線選択信号Ｓ２が出力されたときにワード線Ｗ３を選択する。これにより、千鳥方式液晶表示装置１０００Ａの２ライン目に表示される画像データが、ビット線出力制御回路１３から出力される。
【００２８】
以降、ワード線選択部１２２は、ビット線選択信号Ｓ１が出力されるごとにワード線アドレスを１つずつ増加させ、それに続くビット線選択信号Ｓ２が出力されたときにそのワード線アドレスより１つ大きいアドレスを生成するようにして、メモリ１１のワード線を選択する。
【００２９】
これにより、千鳥方式液晶表示装置１０００Ａの各ラインに表示されるデータが、メモリ１１から順次読み出される。
【００３０】
このような本実施例によれば、画像データが格納されたメモリからデータを読み出すビット線とアドレスを制御することにより、千鳥方式の液晶表示装置の表示に適合したデータを順次出力することができる。このとき、画像データはメモリから読み出すだけでよい。一般に、メモリの読み出しに要する消費電力は少ないので、画像データの表示で消費される電力を少なくすることができる。
【実施例２】
【００３１】
本実施例では、別の形態の千鳥方式液晶表示装置を駆動するときの表示制御回路１２の動作の例を示す。
【００３２】
図５は、図３に示した千鳥方式液晶表示装置１０００Ａとは別の形態の千鳥方式液晶表示装置１０００Ｂの液晶画素の配置の例を示す模式図である。
【００３３】
千鳥方式液晶表示装置１０００Ｂでは、液晶画素Ｌが、各走査ラインに対して上、下、上、下の順番で、各走査ラインの上下に交互に配置される。したがって、この場合、各ラインの表示データは、ある走査ラインで駆動される奇数番目のデータ信号線のデータと、その走査ラインのライン番号より１つ小さいライン番号の走査ラインで駆動される偶数番目のデータ信号線のデータと、で構成される。
【００３４】
そこで、この千鳥方式液晶表示装置１０００Ｂに対して、液晶駆動回路１の表示制御回路１２は、ビット線選択信号Ｓ１がオンしたときに指定したワード線アドレスよりも、それに続くビット線選択信号Ｓ２がオンしたときのワード線アドレスが１つ小さくなるようにワード線アドレスを生成する。
【００３５】
図６に、千鳥方式液晶表示装置１０００Ｂを駆動するときの液晶駆動回路１の動作を波形図で示す。ここでは、液晶表示装置１０００Ｂの表示ラインの１ライン目から順次画像を表示する場合を例にとって示す。
【００３６】
この例でも、液晶駆動回路１のビット線選択信号生成部１２１は、ビット線選択信号Ｓ１とビット線選択信号Ｓ２を交互に出力する。
【００３７】
これに対して、ワード線選択部１２２は、最初のビット線選択信号Ｓ１が出力されたときにワード線Ｗ２を選択し、次にビット線選択信号Ｓ２が出力されたときにワード線Ｗ１を選択する。
【００３８】
これにより、ビット線出力制御回路１３から千鳥方式液晶表示装置１０００Ｂのデータ信号線に対して、奇数番目のデータ信号線へは画像データＧ２、偶数番目のデータ信号線へは画像データＧ１が出力される。すなわち、千鳥方式液晶表示装置１０００Ｂの１ライン目に表示される画像データが出力される。
【００３９】
次にビット線選択信号Ｓ１が出力されると、ワード線選択部１２２はワード線Ｗ３を選択し、ビット線選択信号Ｓ２が出力されたときにワード線Ｗ２を選択する。これにより、千鳥方式液晶表示装置１０００Ｂの２ライン目に表示される画像データが、ビット線出力制御回路１３から出力される。
【００４０】
以降、ワード線選択部１２２は、ビット線選択信号Ｓ１が出力されるごとにワード線アドレスを１つずつ増加させ、それに続くビット線選択信号Ｓ２が出力されたときにそのワード線アドレスより１つ小さいアドレスを生成するようにして、メモリ１１のワード線を選択する。
【００４１】
これにより、千鳥方式液晶表示装置１０００Ｂの各ラインに表示されるデータが、メモリ１１から順次読み出される。
【００４２】
このような本実施例によれば、千鳥方式液晶表示装置の液晶画素の配置形態が異なっていても、メモリへの画像データの書き込み形式を変える必要がなく、同じ画像データを共通に使用することができる。
【実施例３】
【００４３】
本実施例では、液晶画素の配置が通常方式の液晶表示装置を駆動するときの表示制御回路１２の動作の例を示す。
【００４４】
図７は、通常方式液晶表示装置１０００Ｃの液晶画素の配置の例を示す模式図である。
【００４５】
通常方式液晶表示装置１０００Ｃでは、液晶画素Ｌが、各走査ラインに対して一列に配置される。したがって、この場合、各ラインの表示データは、ある走査ラインで駆動される全データ信号線のデータとなる。
【００４６】
そこで、この通常方式液晶表示装置１０００Ｃに対して、液晶駆動回路１の表示制御回路１２は、ビット線選択信号Ｓ１がオンしたときに指定したワード線アドレスと、それに続くビット線選択信号Ｓ２がオンしたときのワード線アドレスが同じになるようにワード線アドレスを生成する。
【００４７】
図８に、通常方式液晶表示装置１０００Ｃを駆動するときの液晶駆動回路１の動作を波形図で示す。ここでは、通常方式液晶表示装置１０００Ｃの表示ラインの１ライン目から順次画像を表示する場合を例にとって示す。
【００４８】
この例でも、液晶駆動回路１のビット線選択信号生成部１２１は、ビット線選択信号Ｓ１とビット線選択信号Ｓ２を交互に出力する。
【００４９】
これに対して、ワード線選択部１２２は、最初のビット線選択信号Ｓ１が出力されたときにワード線Ｗ１を選択し、次にビット線選択信号Ｓ２が出力されたときもワード線Ｗ１を選択する。
【００５０】
これにより、ビット線出力制御回路１３から通常方式液晶表示装置１０００Ｃのデータ信号線に対して、奇数番目のデータ信号線へ画像データＧ１、偶数番目のデータ信号線へも画像データＧ１が出力される。すなわち、通常方式液晶表示装置１０００Ｃの１ライン目に表示される画像データが出力される。
【００５１】
次にビット線選択信号Ｓ１が出力されると、ワード線選択部１２２はワード線Ｗ２を選択し、ビット線選択信号Ｓ２が出力されたときもワード線Ｗ２を選択する。これにより、通常方式液晶表示装置１０００Ｃの２ライン目に表示される画像データが、ビット線出力制御回路１３から出力される。
【００５２】
以降、ワード線選択部１２２は、ビット線選択信号Ｓ１が出力されるごとにワード線アドレスを１つずつ増加させ、それに続くビット線選択信号Ｓ２が出力されたときにそのワード線アドレスと同じアドレスを生成するようにして、メモリ１１のワード線を選択する。
【００５３】
これにより、通常方式液晶表示装置１０００Ｃの各ラインに表示されるデータが、メモリ１１から順次読み出される。
【００５４】
このような本実施例によれば、液晶表示装置の液晶画素の配置が共通方式であっても、千鳥方式液晶表示装置と同じ形式の画像データを共通に使用することができ、液晶画素の配置方式が異なっていても、メモリへの画像データの書き込み形式を変える必要がない。
【実施例４】
【００５５】
本実施例では、液晶表示装置の走査ラインのスキャン方向が通常とは異なるときの表示制御回路１２の動作の例を示す。ここでは、図７に示した通常方式液晶表示装置１０００Ｃにおいて、走査ラインＬｎから走査ラインＬ１へ向かってスキャンする、いわゆる上下逆スキャンを行うときの表示制御回路１２の動作を示す。
【００５６】
図８に、通常方式液晶表示装置１０００Ｃが上下逆スキャンで表示を行うときの液晶駆動回路１の動作を波形図で示す。
【００５７】
この例でも、液晶駆動回路１のビット線選択信号生成部１２１は、ビット線選択信号Ｓ１とビット線選択信号Ｓ２を交互に出力する。
【００５８】
これに対して、ワード線選択部１２２は、最初のビット線選択信号Ｓ１が出力されたときにワード線Ｗｎを選択し、次にビット線選択信号Ｓ２が出力されたときもワード線Ｗｎを選択する。
【００５９】
これにより、ビット線出力制御回路１３から通常方式液晶表示装置１０００Ｃのデータ信号線に対して、奇数番目のデータ信号線へ画像データＧｎ、偶数番目のデータ信号線へも画像データＧｎが出力される。すなわち、通常方式液晶表示装置１０００Ｃのｎライン目に表示される画像データが出力される。
【００６０】
次にビット線選択信号Ｓ１が出力されると、ワード線選択部１２２はワード線Ｗｎ−１を選択し、ビット線選択信号Ｓ２が出力されたときもワード線Ｗｎ−１を選択する。これにより、通常方式液晶表示装置１０００Ｃの（ｎ−１）ライン目に表示される画像データが、ビット線出力制御回路１３から出力される。
【００６１】
以降、ワード線選択部１２２は、ビット線選択信号Ｓ１が出力されるごとにワード線アドレスを１つずつ減少させ、それに続くビット線選択信号Ｓ２が出力されたときにそのワード線アドレスと同じアドレスを生成するようにして、メモリ１１のワード線を選択する。
【００６２】
これにより、通常方式液晶表示装置１０００Ｃの各ラインに表示されるデータが、メモリ１１から順次読み出される。
【００６３】
このような本実施例によれば、メモリに格納された画像データに対して、液晶表示装置は、走査ラインのスキャン方向を任意に切り換えることができる。
【図面の簡単な説明】
【００６４】
【図１】本発明の実施例１に係る液晶駆動回路の構成の例を示すブロック図。
【図２】本発明の実施例１の液晶駆動回路のメモリに格納される画像データの構成の例を示す図。
【図３】千鳥方式の液晶表示装置の液晶画素の配置の例を示す模式図。
【図４】本発明の実施例１の液晶駆動回路の動作の例を示す波形図。
【図５】千鳥方式の液晶表示装置の液晶画素の配置の別の例を示す模式図。
【図６】本発明の実施例２における液晶駆動回路の動作の例を示す波形図。
【図７】通常方式の液晶表示装置の液晶画素の配置の別の例を示す模式図。
【図８】本発明の実施例３における液晶駆動回路の動作の例を示す波形図。
【図９】本発明の実施例４における液晶駆動回路の動作の例を示す波形図。
【符号の説明】
【００６５】
１  液晶駆動回路
１１  メモリ
１２  表示制御回路
１３  ビット線出力制御回路
１２１  ビット線選択信号生成部
１２２  ワード線選択部
Ｓ  センス回路
Ｓ１、Ｓ２  ビット線選択信号
【図１】
2008083573.tif 000003
【図２】
2008083573.tif 000004
【図３】
2008083573.tif 000005
【図４】
2008083573.tif 000006
【図５】
2008083573.tif 000007
【図６】
2008083573.tif 000008
【図７】
2008083573.tif 000009
【図８】
2008083573.tif 000010
【図９】
2008083573.tif 000011